(57)【要約】【課題】便座装置を交換した場合であっても便座装置を昇降させる昇降機構を引き続き使用できるようにする。【解決手段】便座装置２に設けられた取付部７を着脱可能に支持して当該便座装置２を昇降可能に支持する昇降機構１２を、便器装置１の便器本体１１に設けた。したがって、便座装置２を交換した場合であっても昇降機構１２を引き続き使用することができる。【選択図】図２
2007260143.tif 000002
【特許請求の範囲】
【請求項１】
便器本体と、
前記便器本体の上側に配置される便座装置に設けられた取付部を着脱可能に支持して当該便座装置を昇降可能に支持する、前記便器本体に設けられた昇降機構と、
を備える便器装置。
【請求項２】
前記昇降機構は、
前記便器本体に前記便座装置が当接する使用位置に前記便座装置を固定するロック機構と、
前記ロック機構による固定が解除されたときに付勢力によって前記便座装置を上昇させる付勢部材と、
を備える請求項１に記載の便器装置。
【請求項３】
前記取付部は、左右一対設けられている一方、
前記昇降機構は、
ボルト，ナットによって前記取付部が固定される単一の昇降部材と、
前記昇降部材を昇降可能に支持する支持部と、
を備え、
前記付勢部材は、前記昇降部材を上方へ付勢している請求項２に記載の便器装置。
【請求項４】
前記取付部は、左右一対設けられている一方、
前記昇降機構は、
前記取付部毎に設けられ、ボルト，ナットによって前記取付部が固定される昇降部材と、
前記昇降部材を昇降可能に支持する支持部と、
を備え、
前記付勢部材は、前記昇降部材を上方へ付勢している請求項２に記載の便器装置。
【発明の詳細な説明】
【技術分野】
【０００１】
本発明は、便座装置が取り付けられる便器装置に関する。
【背景技術】
【０００２】
従来、便器装置の上側に配置される便座装置を昇降機構によって昇降可能とした構成が知られている（例えば、特許文献１参照）。
【０００３】
このような構成では、昇降機構によって便座装置を上昇させることで便座装置を便器装置から離間させることができるので、便器装置の上面や便座装置の下面を容易に掃除することができるとされている。
【特許文献１】特開２００３−１６６２７１号公報
【発明の開示】
【発明が解決しようとする課題】
【０００４】
しかしながら、従来の昇降機構は、便座装置側に設けられているため、例えば、消費者が便座装置を新しいものに買い換えるときには、昇降機構自体は使用可能である場合であっても昇降機構も同時に交換されてしまうので、資源の無駄使いになってしまうという問題がある。
【０００５】
そこで、本発明は、便座装置を交換した場合であっても便座装置を昇降させる昇降機構を引き続き使用できるようにすることを目的とする。
【課題を解決するための手段】
【０００６】
請求項１に記載の発明の便器装置は、便器本体と、前記便器本体の上側に配置される便座装置に設けられた取付部を着脱可能に支持して当該便座装置を昇降可能に支持する、前記便器本体に設けられた昇降機構と、を備える。
【０００７】
請求項２に記載の発明は、請求項１に記載の便器装置において、前記昇降機構は、前記便器本体に前記便座装置が当接する使用位置に前記便座装置を固定するロック機構と、前記ロック機構による固定が解除されたときに付勢力によって前記便座装置を上昇させる付勢部材と、を備える。
【０００８】
請求項３に記載の発明は、請求項２に記載の便器装置において、前記取付部は、左右一対設けられている一方、前記昇降機構は、ボルト，ナットによって前記取付部が固定される単一の昇降部材と、前記昇降部材を昇降可能に支持する支持部と、を備え、前記付勢部材は、前記昇降部材を上方へ付勢している。
【０００９】
請求項４に記載の発明は、請求項２に記載の便器装置において、前記取付部は、左右一対設けられている一方、前記昇降機構は、前記取付部毎に設けられ、ボルト，ナットによって前記取付部が固定される昇降部材と、前記昇降部材を昇降可能に支持する支持部と、を備え、前記付勢部材は、前記昇降部材を上方へ付勢している。
【発明の効果】
【００１０】
請求項１に記載の発明によれば、便座装置を昇降させる昇降機構が便器装置の便器本体に設けられているので、便座装置を交換した場合であっても昇降機構を引き続き使用することができる。
【００１１】
請求項２に記載の発明によれば、ロック機構による固定を解除することにより付勢部材の付勢力によって自動的に便座装置が上昇するので、便利である。
【００１２】
請求項３に記載の発明によれば、便座装置の左右一対の取付部が単一の昇降部材に固定されるので、便座装置の昇降を安定して行うことができる。
【００１３】
請求項４に記載の発明によれば、便座装置の左右一対の取付部毎に昇降部材が設けられているので、単一の昇降部材にそれらの取付部を固定する場合に比べて、昇降機構を小型化することができる。
【発明を実施するための最良の形態】
【００１４】
本発明の第１の実施形態を図１ないし図７に基づいて説明する。図１は、本実施形態の便座装置が取り付けられた便器装置を概略的に示す側面図、図２は、便座装置を上昇させた状態の便器装置を概略的に示す側面図、図３は、便器装置を便座装置と共に概略的に示す斜視図、図４は、便座装置を下方から見て示す斜視図、図５は、便座装置を使用位置に固定した状態の昇降機構を示す縦断側面図、図６は、便座装置を上昇させた状態の昇降機構を示す縦断側面図、図７は、ロック機構を示す縦断側面図である。
【００１５】
図１及び図２に示すように、便器装置１は、その上側に配置された便座装置２を昇降機構１２によって昇降可能及び着脱可能に支持する。この便器装置１は、ボルト３を用いて便座４が取り付けられるようになっている。本実施形態のボルト３は、矩形状の頭部を有するＴ字状のボルトである。
【００１６】
昇降対象である便座装置２を説明する。便座装置２は、便座４と、便蓋５と、これら便座４及び便蓋５を回動可能に支持する本体部６とから構成されている。本体部６には、例えば人体の局部を洗浄する局部洗浄装置（図示せず）が設けられている。
【００１７】
本体部６の下部には、図３及び図４に示すように、左右一対の取付部７が設けられている。これらの取付部７には、ボルト３の頭部に着脱可能に係合する係合部８が設けられている。この係合部８は、その下面及び後面に開口が形成されており、後方からボルト３の挿入が可能となっていると共に、挿入されたボルト３の軸部が本体部６の下面から突出するようになっている。
【００１８】
次に、便器装置１を詳細に説明する。図１ないし図３に示すように、便器装置１は、排泄物を受け入れる例えば樹脂製の便器本体１１と、この便器本体１１の後部における上部に設けられた昇降機構１２とを備えている。
【００１９】
昇降機構１２は、便座装置２の取付部７を着脱可能に支持すると共に当該便座装置２を昇降可能に支持するものである。この昇降機構１２は、図５及び図６に示すように、便器本体１１に固定された筐体１３と、便座装置２が固定される単一の昇降部材であるプレート部材１４と、このプレート部材１４を昇降可能に支持する支持部１５と、便器本体１１に便座装置２が当接する使用位置に便座装置２を固定するロック機構１６と、ロック機構１６による固定が解除されたときに付勢力によって便座装置２を上昇させる付勢部材であるコイルバネ１７とを備えている。
【００２０】
プレート部材１４は、平面視矩形状に形成されており、その左部及び右部には、プレート部材１４を厚さ方向に貫通した貫通孔（図示せず）が形成されている。そして、その貫通孔に軸部が挿通されると共に頭部が便座装置２の係合部８に係合した状態のボルト３と、このボルト３に螺合するナット１８とによって、プレート部材１４に便座装置２の取付部７が着脱可能に固定される。
【００２１】
このプレート部材１４の下面には、前述の貫通孔の前後に位置させた計４つの軸部材１９が立設されている一方、筐体１３には、この軸部材１９毎に設けられ軸部材１９を上下動可能に支持する支持孔２０が設けられている。これら軸部材１９と支持孔２０とは、プレート部材１４を昇降可能に支持する支持部１５を構成している。
【００２２】
軸部材１９には、コイルバネ１７が外挿されており、このコイルバネ１７は、プレート部材１４を上方に向けて付勢する圧縮バネとして機能する。
【００２３】
ロック機構１６は、図７に示すように、ピン２１を用いて便座装置２を使用位置に固定するものである。プレート部材１４の後部における横幅方向の略中央部には、下方に突出する凸部が設けられており、この凸部には、ピン２１が挿脱可能な係止孔２２が形成されている。また、便器本体１１及び筐体１３には、プレート部材１４の係止孔２２に連通する係止孔２３，２４が設けられている。
【００２４】
このロック機構１６は、係止孔２２，２３，２４に挿入されたピン２１によってプレート部材１４の上昇を阻止して、便座装置２を使用位置に固定する（図２）。一方、ピン２１が係止孔２２から外されたときには、プレート部材１４の上昇の阻止が解除される。これにより、コイルバネ１７の付勢力によって、プレート部材１４が上昇し、便座装置２が上昇する。そして、図６に示すように、軸部材１９のうちボルト３の後方に位置する軸部材１９の側部には、凸部２５が設けられており、この凸部２５が、筐体１３に形成されたストッパ部２６に係止されることで、プレート部材１４の規定高さ以上の上昇が阻止されて、便座装置２が、便器本体１１から規定距離だけ離間した位置である離間位置に保持される（図１，図６）。
【００２５】
このよう構成において、例えば、便器本体１１の上面や便座装置２の下面を掃除する際には、ピン２１を外してロック機構１６による使用位置での便座装置２の固定を解除することで、コイルバネ１７の付勢力によって自動的に便座装置２が上昇して離間位置に保持されるので（図２）、容易に便器本体１１と便座装置２とを掃除することができる。また、掃除が終了した際には、便座装置２を使用位置へ押し下げて、ピン２１によって使用位置に便座装置２を固定することで、便座装置２が使用可能状態となる（図１）。
【００２６】
また、便座装置２を交換するには、ナット１８を緩めて便座装置２を昇降機構１２から取り外し、次に、新規の便座装置２をボルト３に係合させてナット１８を締めて新規の便座装置２を昇降機構１２に固定する。
【００２７】
以上説明したように、本実施形態では、便座装置２を昇降させる昇降機構１２が便器装置１の便器本体１１に設けられているので、便座装置２を交換した場合であっても昇降機構１２を引き続き使用することができる。これにより、資源の無駄使いを抑制することができる。
【００２８】
また、本実施形態では、昇降機構１２に便座装置２を固定するボルト３がＴ字状のボルトであるので、このＴ字状のボルト用の取付部７を有する様々な種類の便座装置２を改造することなくそのまま昇降機構１２に固定することができる。
【００２９】
また、本実施形態では、ロック機構１６による固定を解除することによりコイルバネ１７の付勢力によって自動的に便座装置２が上昇するので、便利である。
【００３０】
また、本実施形態では、便座装置２の左右一対の取付部７が単一の昇降部材であるプレート部材１４に固定されるので、便座装置２の昇降を安定して行うことができる。
【００３１】
次に、本発明の第２の実施形態を図８ないし図１１に基づいて説明する。前述した実施形態と同じ部分は、同一符号で示し説明も省略する。図８は、本実施形態の便器装置を便座装置と共に概略的に示す斜視図、図９は、本実施形態の便座装置を上昇させた状態の便器装置を概略的に示す側面図、図１０は、便座装置を使用位置に固定した状態の昇降機構を示す縦断側面図、図１１は、便座装置を上昇させた状態の昇降機構を示す縦断側面図である。
【００３２】
本実施形態は、図８及び図９に示すように、便器装置１Ａにおける昇降機構１２Ａが第１の実施形態に対して異なる。本実施形態の昇降機構１２Ａは、便座装置２の取付部７毎に、独立した機構部３１を有している。
【００３３】
図１０及び図１１に示すように、機構部３１には、昇降部材として円柱状のキャッチャ１４Ａが設けられている。このキャッチャ１４Ａの上部には、ボルト３が螺合され、このボルト３とナット１８とによって便座装置２の取付部７がキャッチャ１４Ａに固定されるようになっている。
【００３４】
キャッチャ１４Ａは、筐体１３Ａに設けられた支持部１５Ａによって昇降可能に支持されていると共に、コイルバネ１７によって上方に付勢されている。具体的には、支持部１５には、上下方向に延在する支軸３２が設けられている一方、キャッチャ１４Ａ及びボルト３には、この支軸３２が挿入された孔（図示せず）が形成されており、この構造によって、キャッチャ１４Ａが支軸３２に沿って上下動可能となっている。また、この支軸３２には、コイルバネ１７が外挿されており、このコイルバネ１７は、キャッチャ１４Ａを上方に向けて付勢している。
【００３５】
また、本実施形態では、ロック機構１６Ａが各機構部３１毎に設けられている。具体的には、キャッチャ１４Ａの後部には、ピン２１が挿脱可能な係止孔２２Ａが形成されている。また、便器本体１１Ａ及び筐体１３Ａには、キャッチャ１４Ａの係止孔２２Ａに連通する係止孔２３Ａ，２４Ａが設けられている。
【００３６】
このロック機構１６は、係止孔２２Ａ，２３Ａ，２４Ａに挿入されたピン２１によってキャッチャ１４Ａの上昇を阻止して、便座装置２を使用位置に固定する。一方、ピン２１が係止孔２２Ａから外されたときには、キャッチャ１４Ａの上昇の阻止が解除される。これにより、コイルバネ１７によって、キャッチャ１４Ａが上昇され、便座装置２が上昇される。そして、図１１に示すように、キャッチャ１４Ａの前面に設けられた凸部３３が、筐体１３に形成されたストッパ部３４に係止されることで、キャッチャ１４Ａの規定高さ以上の上昇が阻止されて、便座装置２が、離間位置に保持される。
【００３７】
以上説明したように、本実施形態では、便座装置２の左右一対の取付部７毎に昇降部材であるキャッチャ１４Ａが設けられているので、単一の昇降部材にそれらの取付部７を固定する場合に比べて、昇降機構１２Ａを小型化することができる。
【００３８】
なお、本発明は、本実施形態に限ることなく本発明の要旨を逸脱しない範囲で他の実施形態を各種採用することができる。
【図面の簡単な説明】
【００３９】
【図１】本発明の第１の実施形態の便座装置が取り付けられた便器装置を概略的に示す側面図である。
【図２】本発明の第１の実施形態の便座装置を上昇させた状態の便器装置を概略的に示す側面図である。
【図３】本発明の第１の実施形態の便器装置を便座装置と共に概略的に示す斜視図である。
【図４】本発明の第１の実施形態の便座装置を下方から見て示す斜視図である。
【図５】本発明の第１の実施形態の便座装置を使用位置に固定した状態の昇降機構を示す縦断側面図である。
【図６】本発明の第１の実施形態の便座装置を上昇させた状態の昇降機構を示す縦断側面図である。
【図７】本発明の第１の実施形態のロック機構を示す縦断側面図である。
【図８】本発明の第２の実施形態の便器装置を便座装置と共に概略的に示す斜視図である。
【図９】本発明の第２の実施形態の便座装置を上昇させた状態の便器装置を概略的に示す側面図である。
【図１０】本発明の第２の実施形態の便座装置を使用位置に固定した状態の昇降機構を示す縦断側面図である。
【図１１】本発明の第２の実施形態の便座装置を上昇させた状態の昇降機構を示す縦断側面図である。
【符号の説明】
【００４０】
１      便器装置
１Ａ    便器装置
２      便座装置
３      ボルト
７      取付部
１１    便器本体
１１Ａ  便器本体
１２    昇降機構
１２Ａ  昇降機構
１４    プレート部材（昇降部材）
１４Ａ  キャッチャ（昇降部材）
１５    支持部
１５Ａ  支持部
１６    ロック機構
１６Ａ  ロック機構
１７    コイルバネ（付勢部材）
１８    ナット
【図１】
2007260143.tif 000003
【図２】
2007260143.tif 000004
【図３】
2007260143.tif 000005
【図４】
2007260143.tif 000006
【図５】
2007260143.tif 000007
【図６】
2007260143.tif 000008
【図７】
2007260143.tif 000009
【図８】
2007260143.tif 000010
【図９】
2007260143.tif 000011
【図１０】
2007260143.tif 000012
【図１１】
2007260143.tif 000013